(57)【特許請求の範囲】
【請求項１】
利用可能な機能が所定の携帯通信端末により制限される携帯通信端末であって、
前記所定の携帯通信端末とサーバとの間で決定され、少なくとも地理的エリアの設定を含む機能制限設定情報により特定機能の利用制限を設定する機能制限設定手段と、
前記特定機能を利用しようとする際に、自端末の現在位置情報と前記所定の携帯通信端末の現在位置情報とを取得し、前記所定の携帯通信端末との位置関係および前記設定された地理的エリア内にあるか否かの判定に従って前記特定機能の利用の可否を決定する制御手段と、
を有することを特徴とする携帯通信端末。
【請求項２】
前記制御手段は、前記設定された地理的エリア内にある場合、前記所定の携帯通信端末との距離が所定範囲内であれば前記特定機能を利用可能にし、前記所定範囲外であれば利用不可にすることを特徴とする請求項１に記載の携帯通信端末。
【請求項３】
前記機能制限設定情報は、前記特定機能を制限する時間帯を設定することを特徴とする請求項１または２に記載の携帯通信端末。
【請求項４】
第１携帯通信端末がサーバを介して第２携帯通信端末の機能制限を制御する方法であって、
前記第２携帯通信端末の特定機能の利用を制限する少なくとも地理的エリアの設定を含む機能制限設定情報を前記第１携帯通信端末と前記サーバとの間で決定して前記第２携帯通信端末に設定し、
前記第２携帯通信端末が前記特定機能を利用しようとする際に、当該第２携帯通信端末の現在位置と前記第１携帯通信端末の現在位置とを取得し、前記第１携帯通信端末との位置関係および前記設定された地理的エリア内にあるか否かの判定に従って前記特定機能の利用の可否を決定する、
ことを特徴とする機能制限制御方法。
【請求項５】
前記第２携帯通信端末が前記設定された地理的エリア内にある場合、前記第１携帯通信端末との距離が所定範囲内であれば前記特定機能を利用可能にし、前記所定範囲外であれば利用不可にすることを特徴とする請求項４に記載の機能制限制御方法。
【請求項６】
前記機能制限設定情報は、前記特定機能を制限する時間帯を設定することを特徴とする請求項４または５に記載の機能制限制御方法。
【請求項７】
第１携帯通信端末がサーバを介して第２携帯通信端末の機能制限を制御する携帯通信システムであって、
前記第２携帯通信端末の特定機能の利用を制限する少なくとも地理的エリアの設定を含む機能制限設定情報を前記第１携帯通信端末と前記サーバとの間で決定して前記第２携帯通信端末に設定し、
前記第２携帯通信端末が、前記特定機能を利用しようとする際に、当該第２携帯通信端末の現在位置と前記第１携帯通信端末の現在位置とを取得し、前記第１携帯通信端末との位置関係および前記設定された地理的エリア内にあるか否かの判定に従って前記特定機能の利用の可否を決定する、
ことを特徴とする携帯通信システム。
【請求項８】
前記第２携帯通信端末が前記設定された地理的エリア内にある場合、前記第１携帯通信端末との距離が所定範囲内であれば前記特定機能を利用可能にし、前記所定範囲外であれば利用不可にすることを特徴とする請求項７に記載の携帯通信システム。
【請求項９】
前記機能制限設定情報は、前記特定機能を制限する時間帯を設定することを特徴とする請求項７または８に記載の携帯通信システム。
【請求項１０】
利用可能な機能が所定の携帯通信端末により制限される携帯通信端末のプログラム制御プロセッサを機能させるプログラムであって、
前記所定の携帯通信端末とサーバとの間で決定され、少なくとも地理的エリアの設定を含む機能制限設定情報により特定機能の利用制限を設定する機能制限設定機能と、
前記特定機能を利用しようとする際に、自端末の現在位置情報と前記所定の携帯通信端末の現在位置情報とを取得し、前記所定の携帯通信端末との位置関係および前記設定された地理的エリア内にあるか否かの判定に従って前記特定機能の利用の可否を決定する制御機能と、
を前記プログラム制御プロセッサに実現することを特徴とするプログラム。
【発明の詳細な説明】
【技術分野】
【０００１】
本発明は携帯電話端末等の携帯通信システムに係り、特に外部から機能制限が設定された携帯通信端末における機能制限制御方法およびそれを用いた携帯通信端末に関する。
【背景技術】
【０００２】
親が子供の携帯電話端末機や情報通信機器などの利用を監視し機能制限を設定することは、ペアレンタルコントロール(Parental Control)と呼ばれ、このようなペアレンタルコントロールを設定するシステムあるいはソフトウエアが種々提案されている。
【０００３】
たとえば特許文献１に開示された無線機器の特定使用遠隔制御方法では、保護者が自身の携帯電話端末またはパーソナルコンピュータを使用して子供の携帯電話端末の特定使用を時刻や日付で制限することができる。また特許文献２に開示されたシステムでは、制御サーバを介し、携帯情報端末の移動状況に応じて使用できる機能の制限あるいは制限解除が可能である。さらに、特許文献３には、子供の携帯電話端末機を子管理端末に予め登録しておき、子殿も携帯電話端末機の監視を子管理端末を通して実行するシステムが開示されている。
【先行技術文献】
【特許文献】
【０００４】
【特許文献１】特表２００７−５０９５１２号公報
【特許文献２】特開２００６−０５００９７号公報
【特許文献３】特開２００７−１９４６８９号公報
【発明の概要】
【発明が解決しようとする課題】
【０００５】
しかしながら、上述した特許文献に教示されたシステムでは、機能制限される側がどのような環境にどのような状態でいるかについて考慮されていない。このために、環境に関係なく一律にあるいは定型の機能制限がされてしまい、実際の環境に即した利用制限を行うことができない。したがって、子供に機能制限機能を有する携帯電話端末を所持させた場合、携帯電話端末の利用の自由度が大きく損なわれる。
【０００６】
そこで、本発明の目的は、携帯通信端末の利用の自由度を損なうことなく、有効な機能制限を設定することができる携帯通信システム、携帯通信端末およびその機能制限制御方法を提供することにある。
【課題を解決するための手段】
【０００７】
本発明による携帯通信端末は、利用可能な機能が所定の携帯通信端末により制限される携帯通信端末であって、前記所定の携帯通信端末とサーバとの間で決定され、少なくとも地理的エリアの設定を含む機能制限設定情報により特定機能の利用制限を設定する機能制限設定手段と、前記特定機能を利用しようとする際に、自端末の現在位置情報と前記所定の携帯通信端末の現在位置情報とを取得し、前記所定の携帯通信端末との位置関係および前記設定された地理的エリア内にあるか否かの判定に従って前記特定機能の利用の可否を決定する制御手段と、を有することを特徴とする。
【０００８】
本発明による機能制限制御方法は、第１携帯通信端末がサーバを介して第２携帯通信端末の機能制限を制御する方法であって、前記第２携帯通信端末の特定機能の利用を制限する少なくとも地理的エリアの設定を含む機能制限設定情報を前記第１携帯通信端末と前記サーバとの間で決定して前記第２携帯通信端末に設定し、前記第２携帯通信端末が前記特定機能を利用しようとする際に、当該第２携帯通信端末の現在位置と前記第１携帯通信端末の現在位置とを取得し、前記第１携帯通信端末との位置関係および前記設定された地理的エリア内にあるか否かの判定に従って前記特定機能の利用の可否を決定する、ことを特徴とする。
【０００９】
本発明による携帯通信システムは、第１携帯通信端末がサーバを介して第２携帯通信端末の機能制限を制御する携帯通信システムであって、前記第２携帯通信端末の特定機能の利用を制限する少なくとも地理的エリアの設定を含む機能制限設定情報を前記第１携帯通信端末と前記サーバとの間で決定して前記第２携帯通信端末に設定し、前記第２携帯通信端末が、前記特定機能を利用しようとする際に、当該第２携帯通信端末の現在位置と前記第１携帯通信端末の現在位置とを取得し、前記第１携帯通信端末との位置関係および前記設定された地理的エリア内にあるか否かの判定に従って前記特定機能の利用の可否を決定する、ことを特徴とする。
【発明の効果】
【００１０】
本発明によれば、携帯通信端末の利用の自由度を損なうことなく、有効な機能制限を設定することができる。
【図面の簡単な説明】
【００１１】
【図１】本発明の一実施形態による携帯通信システムの概略的構成を示すネットワーク図である。
【図２】本発明の一実施形態による携帯電話端末の概略的な構成を示すブロック図である。
【図３】本発明の一実施形態による携帯通信システムで使用されるサーバの機能的構成を示す概略的ブロック図である。
【図４】本発明の一実施例による携帯通信システムにおける親の携帯電話端末機から子供の携帯電話端末に対して実行される機能制限設定手順を示すシーケンス図である。
【図５】（Ａ）〜（Ｆ）は、図４の手順Ａ３−Ａ８に従って親の携帯電話端末に順次表示される一連の画面を示す図である。
【図６】（Ｇ）〜（Ｉ）は、図４のＡ９、Ａ１２、Ａ２０に従って親の携帯電話端末に順次表示される一連の画面を示す図である。
【図７】本発明の一実施例による携帯通信システムにおける親の携帯電話端末機が子供の携帯電話端末から操作履歴を収集する手順を示すシーケンス図である。
【図８】（Ａ）〜（Ｄ）は、図７の手順Ａ６、Ｂ１、Ｂ４、Ｂ９に従って親の携帯電話端末に順次表示される一連の画面を示す図である。
【図９】本発明の一実施例による携帯通信システムにおける位置情報を利用した子供の携帯電話端末の機能制限制御を示すシーケンス図である。
【図１０】本発明の一実施例による機能制限制御方法の第１例を示すフローチャートである。
【図１１】（Ａ）、（Ｂ）は、図９の手順Ｄ１、Ｄ９に従って子供の携帯電話端末に順次表示される一連の画面を示す図である。
【図１２】本発明の一実施例による機能制限制御方法の第２例を示すフローチャートである。
【発明を実施するための形態】
【００１２】
以下、携帯通信端末として携帯電話端末を例示し、本発明をペアレンタルコントロールに適用したシステムについて詳細に説明する。ただし、本発明は携帯電話端末に限定されるものではなく、移動体通信システムの移動局として機能する情報処理装置や通信端末一般に適用可能である。
【００１３】
１．携帯通信システム
図１に示すように、本発明の一実施形態による携帯通信システムでは、親が携帯電話端末（第１携帯通信端末）１０を、子供が携帯電話端末（第２携帯通信端末）２０をそれぞれ携行し、ネットワークを通してサーバ３０、パーソナルコンピュータ４０、測位システム５０と通信可能であるとする。なお、サーバ３０は後述するペアレンタル対象端末情報データベース３０ａを有するものとする。ここでは、親の携帯電話端末１０、子供の携帯電話端末２０、サーバ３０および測位システム５０はプログラム制御により動作し、携帯通信網１００を介して相互に接続されている。また、パーソナルコンピュータ４０はプログラム制御により動作し、インターネット２００を介して携帯通信網１００に接続されているものとする。
【００１４】
１．１）携帯電話端末
本実施形態による携帯電話端末１０，２０は、図２に示すように基本的に同じ構成を有するが、サーバ３０からダウンロードするペアレンタルコントロール用アプリケーションが異なっている。携帯電話端末１０，２０は、端末の全体的動作を制御するプログラム制御プロセッサとしてのＣＰＵ(Central Processing Unit)１０１、携帯通信網１００の基地局と無線通信するための無線部１０２、たとえばＧＰＳ受信情報を検出する位置検出部１０３、必要な情報を表示する表示部１０４、ユーザの指示あるいはデータを入力するためのキー操作部１０５、ダウンロードしたアプリケーション（携帯アプリ）、後述する機能制限設定情報、ＣＰＵ１０１で実行されるプログラムおよびデータなどを記憶する記憶部１０６、その他通話するためのスピーカやマイクロファン（図示せず。）などを有する。位置検出部１０３は、たとえばＧＰＳ受信情報と接続中の基地局の識別情報とを測位システム５０へ通知する。ＣＰＵ１０１は、記憶部１０６に格納された携帯アプリを用いてペアレンタルコントロールを実行することができる。また、図示されていないが、ＣＰＵ１０１は、現在の日時を示す時計手段とスケジュール手段とを有し、後述する時間的な機能制限設定も可能である。
【００１５】
親の携帯電話端末１０であれば、記憶部１０６の携帯アプリとしてペアレンタルコントロール用アプリケーションがダウンロードされ、この携帯アプリを実行することで次のように動作する。親の携帯電話端末１０は、サーバ３０が提供しているペアレンタルコントロールサービスにアクセスし、子供の携帯電話端末２０が有している機能の制限設定や制限解除を指示することができる。また、親の携帯電話端末１０は、子供の携帯電話端末２０の機能制限設定情報をサーバ３０から受信する機能と、サーバ３０が提供しているペアレンタルコントロール用アプリをダウンロードする機能を備えている。
【００１６】
子供の携帯電話端末２０であれば、記憶部１０６の携帯アプリとしてペアレンタルコントロール用アプリケーションがダウンロードされ、この携帯アプリを実行することで次のように動作する。子供の携帯電話端末２０は、サーバ３０からの指示に従って自局の機能の制限設定や制限解除を行う。また、子供の携帯電話端末２０は、サーバ３０からのログ取得要求に応答して、ＷＥＢアクセス先や通話先あるいは自局の機能の利用状況をサーバ３０に通知する機能と、サーバ３０が提供しているペアレンタルコントロール用アプリをダウンロードする機能を備えている。
【００１７】
１．２）サーバ
サーバ３０はペアレンタルコントロールサービス提供事業者の局舎に設置されているワークステーション・サーバ等の情報処理装置であり、図３に示すような機能的構成を有する。
【００１８】
図３において、位置情報取得部３１は親の携帯電話端末１０や子供の携帯電話端末２０の位置情報を測位システム５０から取得する。グループ関係取得部３２は、親の携帯電話端末１０と子供の携帯電話端末２０のグループ関係をペアレンタル対象端末情報ＤＢ３０ａから取得する。携帯アプリダウンロード処理部３３は、ペアレンタルコントロール機能を利用する為の携帯アプリを親の携帯電話端末１０や子供の携帯電話端末２０へダウンロード提供する。操作要求解析部３４は、子供の携帯電話端末２０の機能制限設定や制限設定解除の指示を親の携帯電話端末１０やパーソナルコンピュータ４０から受信すると、当該指示を解析する。携帯機能制限処理部３５は、操作要求解析部３４により解析された指示に従って、子供の携帯電話端末２０に対して機能制限設定あるいは制限設定解除の指示を送信する。
【００１９】
ＷＥＢアクセス先／通話先ログ収集制御部３６はＷＥＢアクセス先／通話先や携帯電話端末機側の機能の利用状況を収集する。具体的には、親の携帯電話端末１０やパーソナルコンピュータ４０からの制限設定アドバイス要求に応じて、子供の携帯電話端末２０がＷＥＢアクセスしているサイトの情報や通話先の電話番号、利用している機能の履歴やログを収集し、これら収集された情報を返信する。
【００２０】
ＷＥＢアクセス先／通話先情報処理部３７は、頻繁にアクセスするＷＥＢサイトや頻繁に通話をしている通話先や頻繁に利用している携帯電話端末機側の機能をチェックし、制限対象のアドバイスとして携帯電話端末に送信する。すなわち、ＷＥＢアクセス先／通話先ログ情報収集部３６から、頻繁にＷＥＢアクセスしているサイトの情報や頻繁に発信している電話番号や頻繁に利用している子供の携帯電話端末２０の機能を取得し、制限設定アドバイス要求をしてきた親の携帯電話端末１０やパーソナルコンピュータ４０へこれらの情報を提供する。
【００２１】
サーバ３０の通信部３８は携帯通信網１００と接続して後述する各種通信を可能にする。制御部３９はＣＰＵ等のプログラム制御プロセッサであり、図示しないメモリに格納されたプログラムを実行することで、サーバとして動作の他に、後述する携帯電話端末との間で実行されるパスワード認証、各種制限事項の選択や指定などの動作を制御する。制御部３９上でプログラムを実行することにより、上述した参照番号３１−３７で示される機能ブロックと同じ機能を実現することもできる。
【００２２】
なお、ペアレンタル対象端末情報ＤＢ３０ａは、親の携帯電話端末１０の電話番号とグループを組んでいる子供の携帯電話端末２０の電話番号を管理する。
【００２３】
１．３）その他
パーソナルコンピュータ４０は情報処理装置でありサーバ３０が提供しているペアレンタルコントロールサービスにアクセスし、携帯電話端末２０の機能制限設定や制限解除を指示する機能を備えている。また、パーソナルコンピュータ４０は、携帯電話端末２０の機能制限設定情報をサーバ３０から受信する機能を備えている。
【００２４】
測位システム５０は、ペアレンタルコントロールサービス提供事業者の局舎に設置されているワークステーション・サーバ等の情報処理装置とＧＰＳアンテナ等の設備から構成される。サーバ３０の位置情報取得部３１からの測位要求あるいは位置情報要求に応じて、取得対象の携帯電話端末の位置情報あるいは指定エリアの位置情報を算出してサーバ３０へ返す機能を備えている。なお、測位システム５０は、携帯電話端末から受信したＧＰＳ受信情報と接続中の基地局情報とを用いて当該携帯電話端末の位置を算出することができる。
【００２５】
２．動作
以下、図４−図１１を参照しながら、本発明の一実施例による携帯通信システムあるいは携帯電話端末における機能制限制御動作について詳細に説明する。
【００２６】
２．１）機能制限設定
まず、図４−図６を参照しながら保護者が子供の携帯電話端末に機能制限を設定する動作について説明する。
【００２７】
図４において、保護者は親の携帯電話端末１０を用いてペアレンタルコントロール制御用アプリを起動する（ステップＡ１）。ペアレンタルコントロール制御用アプリに従ってＣＰＵ１０１は無線部１０２を用いてサーバ３０へアクセスし(ステップＡ２)、まずパスワード認証を行う（ステップＡ３）。
【００２８】
具体的には、サーバ３０は、親の携帯電話端末１０からのアクセスを契機に、パスワード入力ページ表示用の電文を親の携帯電話端末１０へ送信する。親の携帯電話端末１０は、サーバ３０からパスワード入力ページ表示用の電文を受信してパスワード入力画面を表示する（図５（Ａ）参照）。パスワード入力画面が表示された後に保護者はパスワード入力欄をクリックして、パスワードを入力する事により（図５（Ｂ）参照）、サーバ３０へパスワードが電文として送信される。サーバ３０は、親の携帯電話端末１０からパスワードの電文を受信する事でパスワード認証を行う。
【００２９】
サーバ３０は、当該親の携帯電話端末１０のパスワード認証が行われると、ペアレンタル対象端末情報ＤＢ３０ａからペアレンタル対象者の氏名と電話番号を取得し（ステップＡ４）、ペアレンタル対象者選択手順を実行する（ステップＡ５）。具体的には、サーバ３０は、取得したペアレンタル対象者の氏名および電話番号を編集してペアレンタル対象者の選択ページの電文を親の携帯電話端末１０に送信する。親の携帯電話端末１０は、サーバ３０からペアレンタル対象者選択表示用の電文を受信すると、ペアレンタル対象者の選択画面を表示する（図５（Ｃ）参照）。ペアレンタル対象者の選択画面が表示されると、保護者が制限を行う子供の携帯電話端末２０の電話番号を選択する事により、サーバ３０にペアレンタル対象者の選択指示が電文として送信される。
【００３０】
サーバ３０は、親の携帯電話端末１０からペアレンタル対象者の選択指示の電文を受信すると、続いて、コントロールする機能（制限機能）の選択ページの電文を親の携帯電話端末１０へ送信し制限機能の選択手順を実行する（ステップＡ６）。具体的には、親の携帯電話端末１０がサーバ３０から制限機能の選択表示用の電文を受信すると、制限機能の選択画面を表示する（図５（Ｄ）参照）。保護者が制限機能を選択する事により、親の携帯電話端末１０はサーバ３０へ制限機能の選択指示を電文として送信する。サーバ３０は、親の携帯電話端末１０から制限機能の選択指示の電文を受信すると、制限機能を機能制限設定情報に編集する。
【００３１】
続いて、サーバ３０は、機能の制限設定／設定解除選択ページの電文を親の携帯電話端末１０へ送信することで機能制限設定／設定解除の選択手順を実行する（ステップＡ７）。具体的には、親の携帯電話端末１０は、サーバ３０から機能の制限設定／設定解除選択ページの電文を受信すると、機能の制限設定／設定解除の画面を表示する（図５（Ｅ）参照）。機能の制限設定／設定解除の画面が表示されると、保護者は機能の制限設定をするか設定解除するかを選択する事によりサーバ３０へ機能の制限設定／設定解除の選択指示を電文として送信する。サーバ３０は、親の携帯電話端末１０から機能の制限設定／設定解除の選択指示の電文を受信すると、機能の制限指定を機能制限設定情報に編集する。なお、後述するように、親が同行している場合には、この機能制限設定が自動的に解除されるように設定することも可能である。
【００３２】
続いて、サーバ３０は、機能の制限時間帯指定ページの電文を親の携帯電話端末１０へ送信し制限時間帯の指定手順を実行する（ステップＡ８）。具体的には、親の携帯電話端末１０は、サーバ３０から機能の制限時間帯指定ページの電文を受信すると、機能の制限時間帯指定の画面を表示する（図５（Ｆ）参照）。機能の制限時間帯指定の画面が表示されると、保護者は機能制限を設定する曜日と時間などの時間情報を指定する事によりサーバ３０へ機能制限を設定する曜日および時刻等の時間情報を電文として送信する。サーバ３０は、親の携帯電話端末１０から機能制限時間情報の電文を受信すると機能の制限設定曜日と時刻を機能制限設定情報に編集する。
【００３３】
続いて、サーバ３０は、機能を制限するエリアを指定するページの電文を親の携帯電話端末１０に送信することで制限エリア指定手順を実行する（ステップＡ９）。具体的には、親の携帯電話端末１０はサーバ３０から機能を制限するエリアを指定するページの電文を受信すると、機能を制限するエリアを指定する画面を表示する（図６（Ｇ）参照）。機能を制限するエリアを指定する画面が表示されると、保護者は機能を制限するエリアを指定し、それによりサーバ３０に機能制限エリアの指定が電文として送信される。サーバ３０は、親の携帯電話端末１０から機能制限エリアの指定の電文を受信すると、指定エリアの位置情報要求の電文を測位システム５０に送信する（ステップＡ１０）。指定エリアの位置情報要求の電文を測位システム５０に送信した後、サーバ３０は規制制限設定中ページの電文を親の携帯電話端末１０に送信する（ステップＡ１１）。親の携帯電話端末１０は、サーバ３０から規制制限設定中ページの電文を受信すると、規制制限設定中の画面を表示する（ステップＡ１２、図６（Ｈ）参照）。測位システム５０は、サーバ３０から指定エリアの位置情報要求の電文を受信すると、指定エリアの位置情報を算出し（ステップＡ１３）、算出した指定エリアの位置情報の電文をサーバ３０に送信する（ステップＡ１４）。サーバ３０は、測位システム５０から指定エリアの位置情報の電文を受信すると、機能を制限するエリアの位置情報を機能制限設定情報に編集する。
【００３４】
こうして、サーバ３０は、ステップＡ６−Ａ９により生成された機能制限設定情報を編集し（ステップＡ１５）、機能制限設定情報の電文を子供の携帯電話端末２０へ送信する（ステップＡ１６）。
【００３５】
子供の携帯電話端末２０がサーバ３０から機能制限設定情報の電文を受信すると、ペアレンタルコントロール用アプリケーションを実行しているＣＰＵ１０１は、受信した機能制限設定情報を記憶部１０６に格納して機能制限設定処理を終了する（ステップＡ１７）。機能制限設定処理が終了すると、子供の携帯電話端末２０は機能制限設定処理の終了を示す電文をサーバ３０へ送信する（ステップＡ１８）。
【００３６】
サーバ３０は、子供の携帯電話端末２０から機能制限設定処理終了の電文を受信すると、規制制限設定完了ページの電文を親の携帯電話端末１０に送信する（ステップＡ１９）。
【００３７】
親の携帯電話端末１０は、サーバ３０から規制制限設定完了ページの電文を受信すると、規制制限設定完了の画面を表示し（ステップＡ２０、図６（Ｉ）参照）、親は子供の携帯電話端末２０の機能制限が完了したことを知る。
【００３８】
２．２）使用状況通知
次に、図７および図８を参照しながら子供の携帯電話端末の使用状況を保護者に通知する動作について説明する。
【００３９】
図７において、ステップＡ１−Ａ５は図４と同様であるから、同一の参照符号を付して説明は省略する。ステップＡ５において、サーバ３０が親の携帯電話端末１０からペアレンタル対象者の選択指示の電文を受信すると、コントロールする機能（制限機能）の選択ページの電文を親の携帯電話端末１０へ送信し（ステップＡ６−１）、親の携帯電話端末１０において制限機能の選択画面が表示される（ステップＡ６−２）。制限機能の選択画面が表示された後に保護者は操作履歴収集を選択する事により操作履歴の選択手順が実行される（ステップＢ１）。
【００４０】
具体的には、保護者が操作履歴収集を選択することで、親の携帯電話端末１０からサーバ３０へ操作履歴収集の指示が電文として送信される。サーバ３０は、親の携帯電話端末１０から操作履歴収集の指示の電文を受信すると、操作履歴選択ページの電文を親の携帯電話端末１０へ送信する。親の携帯電話端末１０は、サーバ３０から操作履歴の選択表示用の電文を受信し、操作履歴の選択画面を表示する（図８（Ａ）参照）。操作履歴の選択画面が表示された後に保護者が取得する操作履歴を選択する事によりサーバ３０へ操作履歴の指定が電文として送信される（図８（Ｂ）参照）。
【００４１】
サーバ３０は、親の携帯電話端末１０から操作履歴指定の電文を受信すると、操作履歴取得中ページの電文を親の携帯電話端末１０に送信する（ステップＢ２）。親の携帯電話端末１０は、サーバ３０から操作履歴取得中ページの電文を受信すると、操作履歴取得中の画面を表示する（ステップＢ３、図８（Ｃ）参照）。
【００４２】
サーバ３０は、操作履歴取得中ページの電文を親の携帯電話端末１０に送信した後、操作履歴取得要求の電文を子供の携帯電話端末２０に送信する（ステップＢ４）。子供の携帯電話端末２０は、サーバ３０から操作履歴取得要求の電文を受信すると、子供の携帯電話端末２０内に蓄積された操作履歴から指定された操作履歴を読み出し（ステップＢ５）、サーバ３０に返信する（ステップＢ６）。
【００４３】
サーバ３０は、子供の携帯電話端末２０から操作履歴を受信すると、受信した操作履歴から操作履歴制限設定アドバイスページに表示する為の情報を編集し（ステップＢ７）、操作履歴制限設定アドバイスページを親の携帯電話端末１０に送信する（ステップＢ８）。
【００４４】
親の携帯電話端末１０は、サーバ３０から操作履歴制限設定アドバイス表示用の電文を受信すると、操作履歴制限設定アドバイスの画面を表示する（ステップＢ９、図８（Ｄ）参照）。
【００４５】
２．３）機能制限制御
図９において、まず親の携帯電話端末１０はサーバ３０に自局の測位要求の電文を送信する（ステップＣ１）。サーバ３０は、親の携帯電話端末１０からの測位要求の電文を受信すると、測位システム５０に対して親携帯電話端末１０の測位要求の電文を送信する（ステップＣ２）。測位システム５０は、サーバ３０から親携帯電話端末１０の測位要求の電文を受信すると、親携帯電話端末１０の位置情報を算出し（ステップＣ３）、サーバ３０へ返す（ステップＣ４）。サーバ３０は、測位システム５０から親携帯電話端末１０の位置情報を受信すると、親携帯電話端末１０の位置情報としてペアレンタル対象端末情報ＤＢ３０ａに保存する（ステップＣ５）。このような親の携帯電話端末１０の位置情報の登録は、定期的に実行されることが望ましい。ただし、子供の携帯電話端末２０からの要求により親の携帯電話端末１０の測位要求を測位システム５０へ送信することもできる。
【００４６】
次に、子供が携帯電話端末２０の制限された機能を利用する場合について説明する。制限条件は予め親の携帯電話端末１０により設定されているものとする。制限条件としては、後述するように、機能の種類、利用時間帯、在圏エリアなどを設定できる。
【００４７】
まず、子供が携帯電話端末２０の制限された機能を利用するためにキー操作部１０５を操作したものとする（ステップＤ１）。これによって、携帯電話端末２０はサーバ３０に自局の測位要求を送信し（ステップＤ２）、サーバ３０はその測位要求を測位システム５０へ送信する（ステップＤ３）。測位システム５０は、サーバ３０から携帯電話端末２０の測位要求を受信すると、携帯電話端末２０の位置情報を算出し（ステップＤ４）、サーバ３０へ返す（ステップＤ５）。サーバ３０は測位システム５０から受信した携帯電話端末２０の位置情報を携帯電話端末２０へ返信する（ステップＤ６）。
【００４８】
携帯電話端末２０は、自局の位置情報を受信すると、続いて、親の携帯電話端末１０の位置情報をサーバ３０へ要求し（ステップＤ７）、この要求に応じてサーバ３０は親の携帯電話端末１０の位置情報をペアレンタル対象端末情報ＤＢ３０ａから検索し、子供の携帯電話端末２０へ返す（ステップＤ８）。上述したように、ステップＤ７の要求に応じて、サーバ３０が上述したステップＣ２の測位要求を送信して位置情報を受信することもできる。
【００４９】
子供の携帯電話端末２０のＣＰＵ１０１は、自局の位置情報と親の携帯電話端末１０の位置情報とを取得すると、自局が親の携帯電話端末１０の近傍に位置しているかどうか、言い換えれば親が子供に同行しているかどうかを判定する（ステップＤ９）。たとえば所定の距離以内であるか、同じ位置として検出されたか、あるいは同じ基地局のセル／セクタ内に在圏しているか、などの基準で判定することができる。
【００５０】
親が同行していないと判定されれば（ステップＤ９；ＮＯ）、操作した機能は起動せず、規制中である旨を示す画面が表示されるだけである（ステップＤ１０）。親が同行していると判定されれば（ステップＤ９；ＹＥＳ）、ＣＰＵ１０１は当該利用開始された制限機能を利用可能にして実行する（ステップＤ１１）。
【００５１】
このように、子供の携帯電話端末２０の機能を制限している場合であっても、親が同行している場合に限り当該制限された機能の制限を解除することで、子供が携帯電話を利用する自由度を大きく損なう事態を回避できる。なお、同行する者は親でなくとも、予めグループ登録された特定の利用者（保護者）であればよい。
【００５２】
３．第１例
次に、図１０を参照しながら、上述した子供の携帯電話端末２０のように機能制限設定された携帯電話端末の機能制限制御の具体例を説明する。ここでは、図４に示す機能制限設定（ステップＡ６−Ａ９）が実行されて、携帯電話端末の記憶部１０６に機能制限設定情報が格納されているものとする。
【００５３】
携帯電話端末のキー操作部１０５が操作され、ある機能（たとえば発呼機能）の利用が開始されたとする（ステップ２０１、図１１（Ａ）参照）。携帯アプリケーションを実行しているＣＰＵ１０１は、キー操作を検知すると、利用しようとする機能が図４のステップＡ６で設定された制限対象機能であるか否かを判定する（ステップ２０２）。
【００５４】
当該機能が制限対象機能であれば（ステップ２０２；ＹＥＳ）、ＣＰＵ１０１は、現在の時刻が図４のステップＡ８で設定された機能制限時間帯であるは否かを判定する（ステップ２０３）。
【００５５】
機能制限をする時間帯で利用されていれば（ステップ２０３；ＹＥＳ）、ＣＰＵ１０１は位置検出部１０３から現在の自局の位置を検出し（ステップ２０４）、現在の位置が図４のステップＡ９で設定された制限エリア内にあるか否かを判定する（ステップ２０５）。
【００５６】
制限エリア内であれば（ステップ２０５；ＹＥＳ）、ＣＰＵ１０１は、グループ登録された特定端末の現在位置をサーバ３０から取得し（ステップ２０６）、自局の現在位置と特定端末の現在位置とを比較することで、両者が所定範囲内に存在しているか否かを判定する（ステップ２０７）。ここで、所定範囲とは両者が同行していると言える程の近距離にあればよく、たとえばＧＰＳ位置検出で同じ位置と判定される場合も含む。なお、特定端末の現在位置は当該特定端末により測位されたＧＰＳ情報を受信することで取得してもよい。
【００５７】
特定端末が同行していないと判定されると（ステップ２０７；ＮＯ）、規制中であることを示す画面が表示部１０４に表示され、当該機能は利用不可となる（ステップ２０８、図１１（Ｂ）参照）。
【００５８】
これに対して、特定端末が同行していると判定されれば（ステップ２０７；ＹＥＳ）、ＣＰＵ１０１は当該機能を実行する(ステップ２０９)。すなわち、本実施例によれば、子供が親と同行している場合には、制限設定された機能であっても子供がそのまま利用できるように設定される。
【００５９】
なお、この例では、当該機能が制限対象機能でない場合（ステップ２０２；ＮＯ）、現在時刻が機能制限時間帯ではない場合（ステップ２０３；ＮＯ）、あるいは、携帯電話端末が制限エリア外にいる場合（ステップ２０５；ＮＯ）にも、当該機能を実行することができる（ステップ２０９）。
【００６０】
４．第２例
図１２に示すように、上述した図１０のフローチャートにおける制限エリア判定ステップ２０５を除去して、制限時間内であっても特定端末と同行していれば制限機能を実行することができるように構成することもできる。なお、図１２では図１０と同じステップに同一参照番号を付しているので、説明は省略する。
【００６１】
５．効果
上述したように、親が使用している携帯電話端末１０からの操作と子供の携帯電話端末２０の位置情報や時間情報と組み合わせることで、何時でも何処でも子供が使用している携帯電話機の機能を有効あるいは無効にする設定が可能となる。特に、子供の携帯電話機と親の携帯電話端末との位置関係（同行しているか否か）により、子供の携帯電話端末の機能を有効とする設定やその設定解除をすることも可能となる。すなわち、保護者が指定した曜日の時間帯や指定したエリアに子供が入った事が確認できれば、子供の携帯電話端末の機能を規制／規制解除することができる。
【００６２】
さらに、子供が頻繁にアクセスするサイトや通話先を、アクセス履歴として親の携帯電話端末にシステムが通知するので、子供が使用する携帯電話端末機に対してのＷＥＢアクセス制限や通話制限の必要性を判断することが容易になる。このように、保護者が子供の携帯電話端末の利用履歴の収集を指示する事により、子供が利用している機能を保護者が把握する事ができ、子供が利用している携帯電話端末の機能の利用制限や利用制限解除を設定する為の情報として提供することができる。
【産業上の利用可能性】
【００６３】
本発明は携帯通信端末の機能利用制限を行うシステムに適用できる。
【符号の説明】
【００６４】
１０  親の携帯電話端末（第１携帯通信端末）
２０  子供の携帯電話端末（第２携帯通信端末）
３０  サーバ
３０ａ  ペアレンタル対象端末情報データベース
３１  位置情報取得部
３２  グループ関係取得部
３３  携帯アプリダウンロード処理部
３４  操作要求解析部
３５  携帯機能制限処理部
３６  ＷＥＢアクセス先／通話先ログ情報収集制御部
３７  ＷＥＢアクセス先／通話先情報処理部
３８  通信部
３９  制御部
４０  パーソナルコンピュータ
５０  測位システム
１００  携帯通信網
１０１  ＣＰＵ
１０２  無線部
１０３  位置検出部
１０４  表示部
１０５  キー操作部
１０６  記憶部
２００  インターネット
【図１】
0005397699.tif 000002
【図２】
0005397699.tif 000003
【図３】
0005397699.tif 000004
【図４】
0005397699.tif 000005
【図５】
0005397699.tif 000006
【図６】
0005397699.tif 000007
【図７】
0005397699.tif 000008
【図８】
0005397699.tif 000009
【図９】
0005397699.tif 000010
【図１０】
0005397699.tif 000011
【図１１】
0005397699.tif 000012
【図１２】
0005397699.tif 000013